(57)【要約】【課題】  主幹ブレーカパネルに別途スペースを設けることなく一次送りブレーカを分岐ブレーカとは分離させて主幹ブレーカに隣接させて設置できる住宅用分電盤を提供する。【解決手段】  一次送りブレーカ３、主幹ブレーカ１、分岐ブレーカの順に左右に並べてケース内に配置し、一次送りブレーカ３を主幹ブレーカ１を組み付けた主幹ブレーカパネル１０に組み付け、且つ分電盤ケースに形成された機器取付レール６上に配置した。一次送りブレーカ３が配置される部位の機器取付レール６には、一次送りブレーカ３を主幹ブレーカパネル１０にネジ止めするネジ７の位置に合わせて、ネジ７の進入を可能とする凹部８を設けた。【選択図】  図２
2009303370.tif 000002
【特許請求の範囲】
【請求項１】
電流制限器と主幹ブレーカと複数の分岐ブレーカと一次送りブレーカとをケース内に備え、前記一次送りブレーカを前記電流制限器と主幹ブレーカとの間に配置した住宅用分電盤において、
前記一次送りブレーカを、主幹ブレーカを組み付ける主幹ブレーカパネル、前記電流制限器を組み付けるリミッタパネルのうち何れか一方に組み付け、且つ前記ケースに形成された機器取付レール上に配置することを特徴とする住宅用分電盤。
【請求項２】
前記一次送りブレーカは、前記主幹ブレーカパネル或いは前記リミッタ用パネルにネジ止めして組み付け、前記一次送りブレーカを配置した前記機器取付レールには、前記ネジの進入を可能とする凹部が形成されて成る請求項１記載の住宅用分電盤。
【発明の詳細な説明】
【技術分野】
【０００１】
本発明は住宅用分電盤に関し、特に一次送りブレーカを備えた住宅用分電盤に関する。
【背景技術】
【０００２】
集合住宅に設置される住宅用分電盤では、火災報知設備等の非常用設備に電源を供給するために、主幹ブレーカの一次側に一次送りブレーカが接続されている。この一次送りブレーカは、通常の負荷に対して使用される分岐ブレーカと間違えることがないように分岐ブレーカとは分離させて配置され、多くは主幹ブレーカに対して分岐ブレーカとは反対側となる左側に配置した構成を採用している（例えば、特許文献１参照）。
【０００３】
図３はこのように配置した住宅用分電盤の具体的な構成の一例を示し、２０は主幹ブレーカ、２１は分岐ブレーカ、２２は一次送りブレーカ、２３は分電盤のケースである。この図３に示すように、主幹ブレーカ２０や分岐ブレーカ２１はそれぞれ、ケース２３内に取り付けられた主幹ブレーカパネル２４や分岐ブレーカパネル２５に組み付けられ、一次送りブレーカ２２は主幹ブレーカパネル２４を使用して主幹ブレーカ２０に隣接させて設置されている。
【０００４】
【特許文献１】特開２００１−１５７３２２号公報
【発明の開示】
【発明が解決しようとする課題】
【０００５】
このように一次送りブレーカ２２の取付部位を明確に分離することで、分岐ブレーカ２１と間違えることは無くなった。しかしながら、一次送りブレーカ２２を主幹ブレーカパネル２４を使用して組み付けるため次のような問題が発生していた。
【０００６】
主幹ブレーカ２０や分岐ブレーカ２１は、それぞれケース２３に組み付けられた専用のパネル２４，２５に取り付けられるが、パネル２４，２５はケース２３に適宜間隔で縦に形成されたパネル取り付けのための機器取付レール２６に取り付けられている。そのため、一次送りブレーカ２２を分岐ブレーカ２５とは独立させて主幹ブレーカ２０の左側に隣接させて設置する場合、主幹ブレーカ取付パネル２４を拡幅して（主幹ブレーカ２０を設置するための機器取付レール２６，２６間を広げて）一次送りブレーカ２２設置の為のスペースを確保していた。
この時の機器取付レールとの関係を図４に示している。図４は下方から見た説明図であり、この図に示すように一次送りブレーカ２２は通常ネジ止めされるが、機器取付レール２６上はネジ止めできないため、一次送りブレーカ２２専用の設置スペースを主幹ブレーカパネル２４に確保するために拡幅していた。このように、主幹ブレーカ２０の左側に設置する構成は住宅用分電盤の小型化を図る上では障害となっていた。
【０００７】
そこで、本発明はこのような問題点に鑑み、主幹ブレーカパネルに別途スペースを設けることなく一次送りブレーカを分岐ブレーカとは分離させて主幹ブレーカに隣接させて設置できる住宅用分電盤を提供することを目的とする。
【課題を解決するための手段】
【０００８】
上記課題を解決する為に、請求項１の発明は、電流制限器と主幹ブレーカと複数の分岐ブレーカと一次送りブレーカとをケース内に備え、前記一次送りブレーカを前記電流制限器と主幹ブレーカとの間に配置した住宅用分電盤において、前記一次送りブレーカを、主幹ブレーカを組み付ける主幹ブレーカパネル、前記電流制限器を組み付けるリミッタパネルのうち何れか一方に組み付け、且つ前記ケースに形成された機器取付レール上に配置することを特徴とする。
この構成によれば、一次送りブレーカは機器取付レール上に配置されるので、分岐ブレーカと分離して配置しても専用のスペースを設けることなく設置でき、分電盤の省スペース化を図ることができる。
【０００９】
請求項２の発明は、請求項１に記載の発明において、前記一次送りブレーカは、前記主幹ブレーカパネル或いは前記リミッタ用パネルにネジ止めして組み付け、前記一次送りブレーカを配置した前記機器取付レールには、前記ネジの進入を可能とする凹部が形成されて成ることを特徴とする。
この構成によれば、一次送りブレーカがパネルにネジ止めする構成であっても、機器取付レール上に組み付けできる。
【発明の効果】
【００１０】
本発明によれば、一次送りブレーカは機器取付レール上に配置されるので、分岐ブレーカと分離して配置しても専用のスペースを設けることなく設置でき、分電盤の省スペース化を図ることができる。
【発明を実施するための最良の形態】
【００１１】
以下、本発明を具体化した実施の形態を、図面に基づいて詳細に説明する。図１は本発明に係る住宅用分電盤の一例を示す正面図であり、前面を閉塞する蓋板を取り外した状態の一部を示している。この図１において、１は漏電遮断機能を備えた主幹ブレーカ、２，２・・は住宅内に設置されたそれぞれの負荷に対して過電流発生時に遮断動作する分岐ブレーカ、３は主幹ブレーカ１が遮断動作しても電源の供給を行うための一次送りブレーカ、４は住宅用分電盤の合成樹脂製ケースである。このように、ケース４内に左から一次送りブレーカ３、主幹ブレーカ１、分岐ブレーカ２の順に配置されている。尚、一次送りブレーカ３の更に左側には、引き込まれた商用電源線が接続される電流制限器（図示せず）が設置されている。
【００１２】
主幹ブレーカ１は、ケース４に取り付けられた鋼板で成形された主幹ブレーカパネル１０に組み付けられているし、分岐ブレーカ２は同様にケース４内に取り付けられた鋼板から成る分岐ブレーカパネル１１に組み付けられている。また、電流制限器は同様に鋼板から成るリミッタパネル１２に組み付けられている。各パネル１０，１１，１２は、ケース４に形成された機器取付レール６，６，・・に左右両側部がネジ止めされて取り付けられ、機器取付レール６は、ケース４に適宜間隔で縦に形成されている。
【００１３】
そして、一次送りブレーカ３は、主幹ブレーカ１に接するように配置され、主幹ブレーカパネル１０に上下２ヶ所がネジ７により螺入固定されて組み付けられている。図２は、図１の一次送りブレーカ３の取付部を下方から見た説明図であり、一次送りブレーカ３と機器取付レール６との関係を示している。
この図２に示すように、一次送りブレーカ３は主幹ブレーカパネル１０上で且つ主幹ブレーカパネル１０をケース４に連結している機器取付レール６上に配置され、ネジ７の螺入部に対応する機器取付レール６には凹部８が形成されている。この凹部８は、一次送りブレーカ３の取付位置に合わせて、即ち主幹ブレーカパネル１０に形成された一次送りブレーカ３の取付用ネジ穴に合わせて形成され、ネジ７より大きい径及び深さで形成されている。
【００１４】
このように、一次送りブレーカは機器取付レール上に配置されるので、分岐ブレーカと分離して配置しても元々デッドスペースであった機器取付レール上に設置されるので専用のスペースを設けることなく設置でき、分電盤の省スペース化を図ることができる。
そして、一次送りブレーカがパネルにネジ止めする構成であっても、下部の機器取付レールにはネジを逃がす凹部が設けられているので、無理なく機器取付レール上に組み付けできる。
【００１５】
尚、上記実施形態では、一次送りブレーカ３を主幹ブレーカパネル１０上に組み付けているが、主幹ブレーカパネル１０の左辺とリミッタパネル１２の右辺は同一の機器取付レール６に重ねるように組み付けられるため、主幹ブレーカ１に隣接させて設置する構成であっても、リミッタパネル１２が主幹ブレーカパネル１０の上に配置される場合は、リミッタパネル１２上に組み付ければよい。
また、一次送りブレーカはネジ止めされて組み付けられているが、ネジ７を使用せずに係止機構を主幹ブレーカパネル１０或いはリミッタパネル１２に設けて係止固定しても良い。
【図面の簡単な説明】
【００１６】
【図１】本発明に係る住宅用分電盤の実施形態の一例を示す部分正面図である。
【図２】図１の一次送りブレーカ及び主幹ブレーカを下方から見た説明図である。
【図３】従来の住宅用分電盤の部分正面図である。
【図４】図３の一次送りブレーカ及び主幹ブレーカを下方から見た説明図である。
【符号の説明】
【００１７】
１・・主幹ブレーカ、２・・分岐ブレーカ、３・・一次送りブレーカ、４・・ケース、６・・機器取付レール、７・・ネジ、１０・・主幹ブレーカパネル、１１・・分岐ブレーカパネル、１２・・リミッタパネル。
【図１】
2009303370.tif 000003
【図２】
2009303370.tif 000004
【図３】
2009303370.tif 000005
【図４】
2009303370.tif 000006